(57)【要約】【課題】無彩色の画像を読み取った画像データにおける色ずれを抑制することが可能な画像処理装置を提供する。【解決手段】画像処理装置１００は、光源１１により照明された原稿９の反射光１ｂの強度に応じた複数の成分色の画素値で表された画像データを取得する取得部４２と、取得部４２が取得した画像データの各成分色の画素値に基づいて原稿９の画像の少なくとも一部が無彩色の領域であるか否かを判定する判定部４５と、判定部４５で原稿９の画像の少なくとも一部が無彩色の領域であると判定されたとき、画像データの無彩色の領域における画素の各成分色の画素値を均等化する補正処理を行う補正部４６とを有する。【選択図】図１
2011172086.tif 000002
【特許請求の範囲】
【請求項１】
光源により照明された原稿の反射光の強度に応じた複数の成分色の画素値で表された画像データを取得する取得部と、
前記取得部が取得した前記画像データの各成分色の画素値に基づいて前記原稿の画像の少なくとも一部が無彩色の領域であるか否かを判定する判定部と、
前記判定部で前記原稿の画像の少なくとも一部が無彩色の領域であると判定されたとき、前記画像データの前記無彩色の領域における画素の各成分色の画素値を均等化する補正処理を行う補正部とを備えた画像処理装置。
【請求項２】
前記補正部は、前記画像データの画素のうち、前記各成分色の画素値により表される前記反射光の強度が閾値よりも低い画素について前記補正処理を行う請求項１に記載の画像処理装置。
【請求項３】
前記補正部は、前記画像データの画素の前記各成分色の画素値の最大値又は最小値に他の成分色の画素値を合わせるようにして前記各成分色の画素値を均等化する請求項１又は２に記載の画像処理装置。
【請求項４】
前記補正部は、前記画像データの画素の前記各成分色の画素値をそれらの平均値に合わせるようにして前記各成分色の画素値を均等化する請求項１又は２に記載の画像処理装置。
【発明の詳細な説明】
【技術分野】
【０００１】
本発明は、画像処理装置に関する。
【背景技術】
【０００２】
従来、発光色が変化する光源により原稿のカラー画像を読み取る画像読取装置が知られている（例えば、特許文献１参照）。
【０００３】
この特許文献１に記載された画像読取装置は、赤，緑，青に発光色が変化する光源と、この光源の光に照射された原稿からの反射光を受光してカラー画像データを出力するＣＣＤ（Charge Coupled Device）と、第１読取ラインにおける赤，緑，青の発光色に対応したカラー画像データと第２読取ラインにおける赤，緑，青に発光色に対応したカラー画像データとを補間して、黒の画像と原稿の地色（白色）との間を読み取った場合の色ずれを少なくする色ずれ補正を行う画像処理部とを備えている。
【先行技術文献】
【特許文献】
【０００４】
【特許文献１】特開２００２−１４２１２２号公報
【発明の概要】
【発明が解決しようとする課題】
【０００５】
本発明の目的は、無彩色の画像を読み取った画像データにおける色ずれを抑制することが可能な画像処理装置を提供することにある。
【課題を解決するための手段】
【０００６】
本発明の一態様は、上記目的を達成するため、以下の画像読取装置及び画像形成装置を提供する。
【０００７】
［１］光源により照明された原稿の反射光の強度に応じた複数の成分色の画素値で表された画像データを取得する取得部と、前記取得部が取得した前記画像データの各成分色の画素値に基づいて前記原稿の画像の少なくとも一部が無彩色の領域であるか否かを判定する判定部と、前記判定部で前記原稿の画像の少なくとも一部が無彩色の領域であると判定されたとき、前記画像データの前記無彩色の領域における画素の各成分色の画素値を均等化する補正処理を行う補正部とを備えた画像処理装置。
【０００８】
［２］前記補正部は、前記画像データの画素のうち、前記各成分色の画素値により表される前記反射光の強度が閾値よりも低い画素について前記補正処理を行う請求項１に記載の画像処理装置。
【０００９】
［３］前記補正部は、前記画像データの画素の前記各成分色の画素値の最大値又は最小値に他の成分色の画素値を合わせるようにして前記各成分色の画素値を均等化する請求項１又は２に記載の画像処理装置。
【００１０】
［４］前記補正部は、前記画像データの画素の前記各成分色の画素値をそれらの平均値に合わせるようにして前記各成分色の画素値を均等化する請求項１又は２に記載の画像処理装置。
【発明の効果】
【００１１】
請求項１に記載の発明によれば、本構成を有していない場合に比較して、無彩色の画像を読み取った画像データにおける色ずれを抑制することが可能となる。
【００１２】
請求項２に記載の発明によれば、原稿の画像の黒色に近い領域について色ずれを抑制することが可能となる。
【００１３】
請求項３に記載の発明によれば、本構成を有していない場合に比較して、補正部の演算負荷を軽減することが可能となる。
【００１４】
請求項４に記載の発明によれば、本構成を有していない場合に比較して、原稿の濃度を適切に画像データに表すことが可能となる。
【図面の簡単な説明】
【００１５】
【図１】本発明の第１の実施の形態に係る画像処理装置の概略の構成例を示す全体図である。
【図２】本発明の第１の実施の形態に係る画像処理装置の光源の概略の構成を示す構成図である。
【図３】本発明の第１の実施の形態に係る補間処理部の補間処理の内容の一例を説明する説明図であり、（ａ）は原稿９の読み取り位置を、（ｂ）は読取信号の信号強度を示す。
【図４】本発明の第１の実施の形態に係る判定部の判定処理の一例を説明するための説明図であり、（ａ）は原稿の画像の一例としての有彩色の画像を、（ｂ）は（ａ）に示す画像の画素値の分布を示す。
【図５】本発明の第１の実施の形態に係る判定部の判定処理の他の一例を説明するための説明図であり、（ａ）は原稿の画像の一例としての無彩色の画像を、（ｂ）は（ａ）に示す画像の画素値の分布を示す。
【図６】本発明の第１の実施の形態に係る補間処理部で補間処理を行った場合におけるＣ＊の出現頻度を示し、（ａ）は画素値の小さい領域の、（ｂ）は画素値の大きい領域のＣ＊の出現頻度をそれぞれ示す。
【図７】本発明の第１の実施の形態に係る補正部の補正処理の一例を説明する説明図である。
【図８】本発明の第１の実施の形態に係る補正部の補正処理の一例を説明する説明図である。
【図９】本発明の第２の実施の形態に係る補正部の補正処理の一例を説明する説明図である。
【図１０】本発明の第３の実施の形態に係る補正部の補正処理の一例を説明する説明図である。
【発明を実施するための形態】
【００１６】
［第１の実施の形態］
【００１７】
図１に示すように、この画像処理装置１００は、ユーザの操作によって動作指示や各種設定等の入力が可能な操作パネル６と、操作パネル６からの指示情報を受け付けるコントローラ５と、コントローラ５からの指令に応じて原稿の画像を読み取るための制御を行い、画像データを出力する画像読取制御部２と、画像読取制御部２によって駆動制御される画像読取部１と、コントローラ５からの指令に応じて画像データに基づく画像を印刷用紙等の記録媒体に形成する画像出力部７と、外部の記憶媒体に画像データを保存するための記憶媒体Ｉ／Ｆ部８とを有する。
【００１８】
（画像読取部の構成）
画像読取部１は、１回の発光周期内に成分色の一例としての赤，緑，青の３つの色に発光色が変化する照射光１ａを原稿９に照射して原稿を照明する光源１１と、照射光１ａが原稿９で反射した反射光１ｂを受光して反射光１ｂの強度に応じた読み取り結果としての読取信号ｒを出力する受光素子１２と、反射光１ｂを受光素子１２に導く導光部１３とを有する。
【００１９】
またさらに、画像読取部１は、光源１１に対して原稿９を相対的に移動させる駆動機構１５と、駆動機構１５により副走査方向に駆動される第１キャリッジ１５１及び第２キャリッジ１５２と、これらの構成部材を収容する筐体１６と、筐体１６の上部に設けられたガラス等の光透過性部材からなる原稿台１６１、及び原稿台１６１の副走査方向の一側に主走査方向に沿って設けられた窓部１６２と、原稿台１６１及び窓部１６２に対して開閉可能な自動給紙部１７とを有する。
【００２０】
図２に示すように、光源１１は、赤色の光を発する複数の赤色ＬＥＤ（Light Emitting Diode）１１Ｒ，緑色の光を発する複数の緑色ＬＥＤ１１Ｇ，及び青色の光を発する複数の青色ＬＥＤ１１Ｂが主走査方向に配列された発光部１１０と、発光部１１０を構成する各ＬＥＤ１１Ｒ，１１Ｇ，１１Ｂが実装された基板１１１と、発光部１１０が原稿９を照射する照射光１ａとして発した光を原稿９の読み取り位置９０に導く導光体１１２（図１に示す）とを有して構成されている。
【００２１】
図１に示すように、受光素子１２は、例えばフォトダイオードが用いられ、光を受けると光の強度に応じた電流に変換し、さらに変換された電流が増幅器により電圧に変換及び増幅されて出力されるように構成されている。受光素子１２は、筐体１６に固定された基板１２０に主走査方向に沿って複数実装されている。
【００２２】
導光部１３は、第１キャリッジ１５１に固定された第１のミラー１３１と、第２キャリッジに固定された第２のミラー１３２及び第３のミラー１３３と、第３のミラー１３３と受光素子１２との間に配置されたレンズ１２１とを備え、原稿９の読み取り位置９０で反射した反射光１ｂが第１〜第３のミラー１３１〜１３３で反射してレンズ１２１に入射し、受光素子１２に結像するように構成されている。
【００２３】
駆動機構１５は、第１キャリッジ１５１及び第２キャリッジ１５２が副走査方向の一端部に静止した状態で、自動給紙部１７の給紙トレイ１７１に置かれた原稿９を窓部１６２の上側を経由して排紙台１７２に搬送する第１の駆動機構１５３と、第１キャリッジ１５１及び第２キャリッジ１５２を副走査方向に移動させる第２の駆動機構１５４とを有する。
【００２４】
第１の駆動機構１５３は、給紙トレイ１７１に置かれた複数の原稿９の束から１枚の原稿９を分離する原稿分離ロール１５３ａと、原稿９を搬送する原稿搬送ロール１５３ｂと、原稿９を窓部１６２に対向させる読取ロール１５３ｃと、原稿を排紙台１７２に排出する排出ロール１５３ｄと、原稿分離ロール１５３ａ，原稿搬送ロール１５３ｂ，読取ロール１５３ｃ，及び排出ロール１５３ｄを駆動する駆動源１５３ｅとを有している。
【００２５】
第２の駆動機構１５４は、第２キャリッジ１５２に固定された大径部１５５ａ及び小径部１５５ｂを一体に有する移動プーリ１５５と、筐体１６に固定された固定プーリ１５６と、固定プーリ１５６とは副走査方向の反対側で筐体１６に固定されたモータ１５７と、モータ１５７の回転軸に固定された駆動プーリ１５８と、これらの各プーリに巻き回され、一端部１５９ａ及び他端部１５９ｂが筐体１６に固定されたワイヤ１５９とを備えている。そして第２の駆動機構１５４は、モータ１５７の回転力がワイヤ１５９を介して各プーリ１５５，１５６，１５８に伝達され、第１キャリッジ１５１と第２キャリッジ１５２とを副走査方向に沿った同じ方向に異なる速度で移動させるように構成されている。
【００２６】
（画像読取制御部の構成）
画像読取制御部２は、読取駆動部３と画像処理部４とを備える。読取駆動部３は、光源１１を駆動する光源駆動回路３１と、駆動機構１５の駆動源としての駆動源１５３ｅ及びモータ１５７を駆動するモータ駆動回路３２と、光源駆動回路３１及び後述するＡ／Ｄ変換部４１に供給される駆動信号ｃを発生させる駆動信号発生回路３３とを有している。
【００２７】
光源駆動回路３１は、複数の赤色ＬＥＤ１１Ｒを発光させる第１の駆動信号と、複数の緑色ＬＥＤ１１Ｇを発光させる第２の駆動信号と、複数の青色ＬＥＤ１１Ｂを発光させる第３駆動信号とを駆動信号発生回路３３から供給される駆動信号ｃに応じて順次切り替え、光源１１に供給するように構成されている。
【００２８】
モータ駆動回路３２は、第１の駆動機構１５３の作動時には駆動源１５３ｅに駆動電流を供給し、第２の駆動機構１５４の作動時にはモータ１５７に駆動電流を供給するように構成されている。
【００２９】
駆動信号発生回路３３は、例えば、数十μ秒から数百μ秒の間隔で発生するパルス状の信号を駆動回路ｃとして光源駆動回路３１及びＡ／Ｄ変換部４１に供給するように構成されている。
【００３０】
（画像処理部の構成）
画像処理部４は、処理実行部４０と、Ａ／Ｄ変換部４１と、取得部４２と、バッファ４３と、記憶部４８と、Ｉ／Ｆ部４９とを有する。
【００３１】
Ａ／Ｄ変換部４１は、駆動信号発生回路３３からの駆動信号ｃに同期して、主走査方向に沿って配置された複数の受光素子１２の読取信号ｒをアナログ信号からデジタル信号に変換するように構成されている。このデジタル信号は、原稿９の画像の反射光１ｂの強度に応じた赤，緑，青の３つの色の画素値で表された画像データの一例である。
【００３２】
取得部４２は、Ａ／Ｄ変換部４１から複数の受光素子１２の読取信号ｒをデジタル信号に変換した画像データを取得し、各受光素子１２について、少なくとも光源１１の発光色が赤，緑，青に変化する第１の発光周期における画像データと、第１の発光周期に続く第２の発光周期における各発光色に対応する画像データとをバッファ４３に記憶するように構成されている。
【００３３】
処理実行部４０は、例えば記憶部４８に記憶されたプログラムによって動作するＣＰＵ（Central Processing Unit）により実現され、補間処理部４４と、判定部４５と、補正部４６と、ＴＩ分離部４７とを有する。
【００３４】
（補間処理部の構成）
補間処理部４４は、バッファ４３から第１の発光周期における赤，緑，青の発光色に対応する画素値と、第２の発光周期における赤，緑，青の発光色に対応する画素値とを補間演算し、この演算結果を画像データ４８ａとして記憶部４８に記憶する補間処理機能を有する。より詳細には、補間処理部４４は、第１の周期における青，緑，赤の各発光色に対応する画素値と第２の周期における青，緑，赤の各発光色に対応する画素値に予め定められた係数を乗算し、同じ色に対応する画素値同士を加算することにより補間処理を行い、その結果を画像データ４８ａとして記憶部４８に記憶する。
【００３５】
図３は、補間処理部４４の補間処理の内容の一例を説明する図であり、（ａ）は原稿９の読み取り位置を、（ｂ）は各読み取り位置に対応する第１の発光周期から第３の発光周期における各画素の画素値及び補間処理部４４で補間演算された画素値を示す。
【００３６】
図３（ａ）に示すように、原稿９が光源１１に対して副走査方向に相対移動することにより、光源１１の照射光１ａにより照射される原稿９の読み取り位置は、時間の経過と共に矢印Ａに示す副走査方向に移動する。原稿９の画像には、黒色の黒色領域９１Ｂと、白色の白色領域９１Ｗと、黒色領域９１Ｂと白色領域９１Ｗとの間に介在する境界部としての灰色領域９１Ｇが存在している。灰色領域９１Ｇは、黒色領域９１Ｂから白色領域９１Ｗにかけて徐々に濃度が薄くなる無彩色の領域である。
【００３７】
１番目の読み取り位置を符号９１で示し、２〜８番目の読み取り位置をそれぞれ符号９２〜９８で示すと、１〜３番目の読み取り位置９１〜９３は黒色領域９１Ｂに属し、４〜６番目の読み取り位置９４〜９６は灰色領域９１Ｇに属し、７〜８番目の読み取り位置９７〜９８は白色領域９１Ｗに属する。読み取り位置９１，９４，９７では赤色のＬＥＤ１１Ｒが発光し、読み取り位置９２，９５，９８では緑色のＬＥＤ１１Ｇが発光し、読み取り位置９３，９６では青色のＬＥＤ１１Ｂが発光するものとする。
【００３８】
図３（ｂ）に示すように、黒色領域９１Ｂでは反射光１ｂの強度が弱いので、第１の発光周期における読み取り位置９１，９２，９３に対応する画素値を示すＲ１，Ｇ１，Ｂ１は低い値を示している。灰色領域９１Ｇでは、白色領域９１Ｗに向かって反射光１ｂの信号の強度が徐々に強くなり、第２の発光周期における読み取り位置９４，９５，９６に対応する画素値Ｒ２，Ｇ２，Ｂ２は徐々に高くなる。白色領域９１Ｗでは反射光１ｂの強度が強いので、第３の周期における読み取り位置９７，９８に対応する画素値を示すＲ３，Ｇ３は高い値を示している。
【００３９】
また、図３（ｂ）に示すように、補間処理部４４は、画素値Ｒ１に係数１／６を乗じた積と画素値Ｒ２に係数５／６を乗じた積とを加算した値を画素値Ｒ０として出力し、画素値Ｇ１に係数１／２を乗じた積と画素値Ｇ２に係数１／２を乗じた積とを加算した値を画素値Ｇ０として出力し、画素値Ｂ１に係数５／６を乗じた積と画素値Ｂ２に係数１／６を乗じた積とを加算した値を画素値Ｂ０として出力する。
【００４０】
図３（ｂ）に示すように、画素値Ｒ０，Ｇ０，Ｂ０の画素値は均一ではなく、互いに異なっている。従って、補間信号Ｒ０，Ｇ０，Ｂ０により表現される色は原稿９の画像よりも彩度が高い色（図３に示す例ではやや緑がかった色）となる。補間処理部４４は、画素値Ｒ０，Ｇ０，Ｂ０を、画像データ４８ａとして記憶部４８に記憶する。
【００４１】
（判定部の構成）
判定部４５は、記憶部４８に記憶された画像データ４８ａの画素の各色の画素値によって、原稿９の画像の少なくとも一部が無彩色の領域であるか否かを判定する判定機能を有している。判定部４５は、記憶部４８に記憶された画像データ４８ａの各色の画素値の出現頻度の分布状態に基づいて、各色の画素値のピークが揃っているか否かによって原稿９の画像が無彩色か有彩色かを判定する。より具体的には、判定部４５は、各色の画素値の分布のピーク位置のばらつきの程度によって原稿９の画像の少なくとも一部が無彩色であるか否かを判定する。
【００４２】
この判定は、原稿９の画像の全体が無彩色か否かによって行ってもよく、原稿９の画像の一部に無彩色の領域が含まれるか否かによって行ってもよい。
【００４３】
図４は、判定部４５の判定処理の一例を説明するための図である。（ａ）は原稿９の画像の一例として示す自然画としての夕日の写真画像（有彩色）を示し、（ｂ）は、（ａ）に示す画像を画像読取部１で読み取り、補間処理部４４で補間を行った結果としての赤，青，緑の各色の画素値（最大値：２５５）の分布のグラフを示す。
【００４４】
図４（ｂ）に示すように、夕日の画像では赤みが強いので、赤の画素値の分布を示すグラフは画素値が大きい領域にピーク９２Ｒが存在し、緑の画素値の分布を示すグラフは画素値が小さい領域にピーク９２Ｇが存在する。青の画素値の分布を示すグラフのピーク９２Ｂは、赤のピーク９２Ｒと緑のピーク９２Ｇの間の位置に存在する。このように、カラー画像を読み取った場合には、赤，青，緑の画素値の分布のピークの位置がばらつく。判定部４５は、このように各色の画素値の分布のピークの位置がばらついている場合には、原稿９の画像が有彩色であると判定する。
【００４５】
図５は、判定部４５の判定処理の他の一例を説明するための図である。（ａ）は原稿９の画像の一例として示す黒色の領域９Ｂと薄い灰色の領域９Ｇを有する無彩色の縞模様の画像を示し、（ｂ）は、（ａ）に示す画像を画像読取部１で読み取り、補間処理部４４で補間を行った結果としての赤，青，緑の各色の画素値の分布のグラフを示す。
【００４６】
図５（ｂ）に示すように、画素値の小さい領域（画素値が５０以下の領域）における赤の画素値の分布を示すグラフのピーク９３Ｒ，緑の画素値の分布を示すグラフのピーク９３Ｇ，及び青の画素値の分布を示すグラフのピーク９３Ｂの位置はほぼ同じである。また、画素値の大きい領域（画素値が１５０以上の領域）における赤の画素値の分布を示すグラフのピーク９４Ｒ，緑の画素値の分布を示すグラフのピーク９４Ｇ，及び青の画素値の分布を示すグラフのピーク９４Ｂの位置もほぼ同じである。このように、無彩色の画像を読み取った場合には、赤，青，緑の画素値の分布のピークの位置が所定の範囲内(例えば、画素値が±３０の範囲内)に存在する。判定部４５は、このように各色の画素値の分布のピークの位置が所定の範囲内にある場合には、原稿９の画像が無彩色であると判定する。
【００４７】
なお、判定部４５は、画素値の中間領域（例えば画素値が５０〜１５０までの領域）における各色の画素値の頻度が予め定められた値以下であれば無彩色であると判定するようにしてもよい。
【００４８】
図６は、図５（ａ）に示す画像を読み取り、補間処理部４４で補間処理を行った場合における各画素の色づきを示す指標としてのＣ＊の出現頻度を示し、（ａ）は画素値の小さい領域（黒色に近い領域）におけるＣ＊の出現頻度を、（ｂ）は画素値の大きい領域（白色に近い領域）におけるＣ＊の出現頻度を、それぞれ示す。
【００４９】
Ｃ＊は、ＪＩＳ Ｚ ８７２９に規定されたＣＩＥ１９７６（Ｌ＊ａ＊ｂ＊）表色系における「クロマティクネス指数」を示すａ＊及びｂ＊を二乗して足し合わせた値の平方根を演算することにより得られる値である。Ｃ＊の値が大きい程、その画素の彩度が大きいことを表している。
【００５０】
図６（ａ）に示すように、画素値の小さい領域におけるＣ＊の頻度の分布は、図６（ｂ）に示す画素値の大きい領域におけるＣ＊の頻度の分布に比較して、Ｃ＊の値が大きい領域（Ｃ＊が７以上の領域）における頻度が高くなっている。すなわち、画素値の小さい領域では、各色の画素値のばらつきがＣ＊の数値に与える影響が、画素値の大きい領域に比べて大きくなる。
【００５１】
（補正部の構成）
補正部４６は、原稿９の画像が無彩色であるとの判定部４５の判定結果に応じて、画像データの画素の各成分色の画素値を均等化する補正処理を行う補正機能を有している。より詳細には、補正部４６は、画像データの画素の各色の画素値の最大値に他の色の画素値を合わせるようにして各色の画素値を均等化する。また、補正部４６は、判定部４５が原稿９の画像の一部の領域が無彩色であると判定した場合には、その領域について補正処理を行う。
【００５２】
図７は、補正部４６の補正処理の一例を説明するための図である。（ａ）は、原稿９の無彩色の画像を読み取った際の副走査方向の各読み取り位置における画素の各色の画素値を示し、（ｂ）は、（ａ）に示す各読み取り位置における画素値及びＣ＊の数値を表形式で示す。図７では、各読み取り位置に対応する画素を画素Ｎｏ．１〜１３で示している。
【００５３】
図７（ａ）に示すように、赤，緑，青の各色の画素値の分布は、それぞれ同様の曲線を描くが、Ｃ＊の値は反射光１ｂの強度が低い画素値の小さい領域で大きくなる傾向にある。本実施の形態の補正部４６は、補間処理部４４で補間処理された画像データの画素のうち、各色の画素値が共に閾値としての５０以下の画素について、画素値を均等化する処理を行う。
【００５４】
図７に示す例では、画素Ｎｏ．３，４，１０，及び１１の画素の各色の画素値（図７（ｂ）にハッチングで示す）が５０以下である。補正部４６は、これらの画素における各色の画素値のうち、最大値を示す色の画素値に他の色の画素値を揃える処理を行う。例えば、画素Ｎｏ．３では、赤の画素値が３２、緑の画素値が２７、青の画素値が２５であるので、このうちの最大値である赤の画素値３２を、緑の画素値及び青の画素値に代入する。画素Ｎｏ．４，１０，１１の画素に対しても、同様の処理を行い、補正の結果を記憶部４８に画像データ４８ａとして記憶する。
【００５５】
図８は、補正部４６により補正処理を行った後の各読み取り位置における画素の画素値及びＣ＊を示す。前述の補正処理を行った画素Ｎｏ．３の画素では、Ｃ＊の値が１３．５から６．０に小さくなり、色ずれが抑えられている。補正処理の対象となる他の画素においても、Ｃ＊の値の上限が６．０以下に抑えられている。なお、Ｃ＊の値は各色の画素値に所定の変換を行って演算するので、各色の画素値が同じでもＣ＊の値はゼロとはならない。
【００５６】
（ＴＩ分離部の構成）
ＴＩ分離部４７は、補正部４６により補正された画像データ４８ａに基づいて、読取画像の文字部分（テキスト部分）と画像の部分（イメージ部分）とを分離するテキスト・イメージ分離機能を有している。
【００５７】
ＴＩ分離部４７は、原稿９の地色（例えば白色）と文字線画の色（例えば黒色）との間の境界を画像データ４８ａの各画素の画素値に基づいて検出し、画像データ４８ａから文字線画を抽出する。
【００５８】
（Ｉ／Ｆ部の構成）
Ｉ／Ｆ部４９は、コントローラ５から画像データ４８ａの出力を指示された場合には、記憶部４８から画像データ４８ａを読み出してコントローラ５へ送信し、コントローラ５からＴＩ分離した文字線画の出力を指示された場合には、ＴＩ分離部４７から文字線画の情報を取得してコントローラ５へ送信するように構成されている。
【００５９】
（画像処理装置の動作）
次に、図１〜図８を参照して画像処理装置１００の動作を説明する。
【００６０】
ユーザが給紙トレイ１７１又は原稿台１６１に原稿９を置いて操作パネル６により原稿９の読み取りを指示すると、コントローラ５は操作パネル６からその情報を受信し、モータ駆動回路３２と駆動信号発生回路３３に動作指示をする。
【００６１】
モータ駆動回路３２は、給紙トレイ１７１に原稿９が置かれた場合には、コントローラ５からの動作指示に応じて第１の駆動機構１５３の駆動源１５３ｅを駆動して、原稿９を給紙トレイ１７１から窓部１６２の上側を経由して排紙台１７２に搬送する。また、モータ駆動回路３２は、原稿台１６１に原稿９が置かれた場合には、コントローラ５からの動作指示に応じて第２の駆動機構１５４のモータ１５７を駆動して、第１キャリッジ１５１及び第２キャリッジ１５２を副走査方向に移動させる。
【００６２】
駆動信号発生回路３３は、コントローラ５からの動作指示に応じて光駆動回路３１に駆動信号ｃを供給し、光駆動回路３１は、光源１１の赤色ＬＥＤ１１Ｒ、緑色ＬＥＤ１１Ｇ、及び青色ＬＥＤ１１Ｂを順次発光させる。
【００６３】
照射光１ａに照射される原稿９の読み取り位置は、光源１１に対する原稿９の相対移動に伴って、原稿９の画像を副走査方向に移動する。原稿９の各読み取り位置で照射光１ａが反射した反射光１ｂは、導光部１３の第１〜第３のミラー１３１〜１３３、及びレンズ１２１に導かれて複数の受光素子１２に結像する。複数の受光素子１２は、反射光１ｂの強度に応じた電圧の読取信号ｒを処理実行部４０のＡ／Ｄ変換部４１へ出力する。
【００６４】
Ａ／Ｄ変換部４１は、駆動信号発生回路３３からの駆動信号ｃに同期して、複数の受光素子１２の読取信号ｒをアナログ信号からデジタル信号に変換し、取得部４２に出力する。
【００６５】
取得部４２は、Ａ／Ｄ変換部４１から複数の受光素子１２の読取信号ｒをデジタル信号に変換した画素値で表した画像データを取得して、各受光素子１２について、光源１１の発光色が赤，緑，青に変化する第１の発光周期及び第２の発光周期における各発光色に対応する画像データをバッファ４３に記憶する。
【００６６】
補間処理部４４は、バッファ４３に記憶された第１の発光周期における赤，緑，青の発光色に対応する画素値と、第２の発光周期における赤，緑，青の発光色に対応する画素値とを補間した画素値を演算し、演算結果を記憶部４８に画像データ４８ａとして記憶する。
【００６７】
判定部４５は、画像データ４８ａに表された各色の画素値の出現頻度の分布状態に基づいて、原稿９の画像が無彩色か否かを判定する。
【００６８】
補正部４６は、判定部４５により原稿９の画像が無彩色であると判定された場合に、各色の画素値が閾値（例えば５０）よりも小さい画素について、各色の画素値をそれらの最大値に揃える補正処理を行う。
【００６９】
操作パネル６を介したユーザの指示により、原稿９の画像のＴＩ分離を行う場合には、ＴＩ分離部４７が、補正部４６により補正処理が行われた画像データ４８ａを記憶部４８から読み出してＴＩ分離処理を実行する。
【００７０】
Ｉ／Ｆ部４９は、コントローラ５の指示内容が画像データの出力であれば記憶部４８から画像データ４８ａを読み出してコントローラ５へ送信し、指示内容がＴＩ分離した文字線画の出力であれば、ＴＩ分離部４７により抽出された文字線画のデータをコントローラ５へ送信する。
【００７１】
コントローラ５は、ユーザの指示内容に基づいて、Ｉ／Ｆ部４９から受信した画像データ又は文字線画のデータを記憶媒体Ｉ／Ｆ８を介してユーザの記憶媒体に記憶する。あるいは、画像出力部７を制御して、Ｉ／Ｆ部４９から受信した画像データに応じた画像を印刷用紙等の記録媒体に出力する。
【００７２】
［第２の実施の形態］
次に、本発明の第２の実施の形態について説明する。本実施の形態における画像処理装置１００も、画像読取部１，画像読取制御部２，コントローラ５等を有しているが、画像読取制御部２の補正部４６の補正処理の内容が第１の実施の形態とは異なっている。
【００７３】
第１の実施の形態の補正部４６は、補正対象画素の各色の画素値のうち、最大値を示す色の画素値に他の色の画素値を置き換えたが、本実施の形態では、各色の画素値のうち最小値を示す色の画素値に他の色の画素値を置き換える。
【００７４】
補正部４６は、補間処理部４４で補間処理された画像データ４８ａが図７に示すものであった場合、補正対象画素である画素Ｎｏ．３，４，１０，及び１１の画素の各色の画素値のうち、最小値を示す色の画素値に他の色の画素値を揃える処理を行う。例えば、画素Ｎｏ．３では赤の画素値が３２、緑の画素値が２７、青の画素値が２５であるので、このうちの最小値である青の画素値２５を、赤の画素値及び緑の画素値に代入する。画素Ｎｏ．４，１０，１１の画素に対しても、同様の処理を行い、補正の結果を記憶部４８に画像データ４８ａとして記憶する。
【００７５】
図９は、本実施の形態における補正部４６の処理結果の一例を示す図である。図９（ｂ）に示すように、画素Ｎｏ．３,４,１０,及び１１の各色の画素値が最小値に揃えられ、図９（ａ）及び（ｂ）に示すように、これらの画素のＣ＊の値の上限値が６．６以下に抑えられている。
【００７６】
［第３の実施の形態］
次に、本発明の第３の実施の形態について説明する。本実施の形態における画像処理装置１００も、画像読取部１，画像読取制御部２，コントローラ５等を有しているが、画像読取制御部２の補正部４６の補正処理の内容が第１の実施の形態とは異なっている。
【００７７】
本実施の形態に係る補正部４６は、補正対象画素の各色の画素値を平均した平均値を演算し、各色の画素値をその平均値に合わせるようにして各色の画素値を均等化する。
【００７８】
補正部４６は、補間処理部４４で補間処理された画像データ４８ａが図７に示すものであった場合、補正対象画素である画素Ｎｏ．３，４，１０，及び１１のそれぞれについて、各色の画素値の平均値を演算し、その平均値に各色の画素値を揃える処理を行う。例えば、画素Ｎｏ．３では赤の画素値が３２、緑の画素値が２７、青の画素値が２５であるので、これらの画素値の平均値である２８を各色の画素値に代入する。画素Ｎｏ．４，１０，１１の画素に対しても、同様の処理を行い、補正の結果を記憶部４８に画像データ４８ａとして記憶する。
【００７９】
図１０は、本実施の形態における補正部４６の処理結果の一例を示す図である。図１０（ｂ）に示すように、画素Ｎｏ．３,４,１０,及び１１の各色の画素値がそれらの平均値に揃えられ、図９（ａ）及び（ｂ）に示すように、これらの画素のＣ＊の値の上限値が６．４に抑えられている。
【００８０】
［他の実施の形態］
なお、本発明は、上記各実施の形態に限定されず、その要旨を変更しない範囲で種々な変形が可能である。
【００８１】
例えば、処理実行部４０の補間処理部４４，判定部４５，補正部４６，及びＴＩ分離部４７の補間処理機能、判定機能、補正機能、及びＴＩ分離機能の一部又は全部は、プログラムによって動作するＣＰＵにより実現されるものに限らず、論理演算素子等のハードウェアによって実現されるように構成してもよい。
【００８２】
また、上記各実施の形態では、補正部４６による補正対象画素の各色の画素値を同じ値に揃えたが、これに限らない。例えば、各色の画素値のうち、最大の画素値を２番目に大きな画素値に置き換えるような処理を行うようにしてもよい。つまり、補正部４６が行う補正処理は、補正前の各色の画素値のばらつきに比べて、そのばらつきが少なくなるように各画素値を均等化するものであればよい。この補正処理後におけるＣ＊の値は、１０以下、より好ましくは７以下になるように画素値の均等化を行うとよい。
【００８３】
また、上記各実施の形態では、各色の画素値が共に閾値よりも小さい画素について補正処理を行ったが、これに限らず、各色の画素値が共に閾値（例えば１５０）よりも大きい画素（白色領域に近い色の画素）について補正処理を行ってもよく、全ての画素について補正処理を行ってもよい。各色の画素値が閾値よりも小さい画素について補正処理を行う場合には、その閾値は、画素値の最大値の１／５以下、又は１／３以下、あるいは１／２以下としてもよい。
【００８４】
また、上記各実施の形態では、補間処理部４４による補間処理後の画像データに基づいて原稿の画像の少なくとも一部が無彩色であるか否かを判定したが、補間処理部４４による補間処理前の画像データに基づいて原稿の画像の少なくとも一部が無彩色であるか否かを判定してもよい。
【符号の説明】
【００８５】
１…画像読取部、２…画像読取制御部、３…読取駆動部、４…画像処理部、５…コントローラ、６…操作パネル、７…画像出力部、８…記憶媒体Ｉ／Ｆ、９…原稿、１１…光源、１１Ｂ…青色ＬＥＤ、１１Ｇ…緑色ＬＥＤ、１１Ｒ…赤色ＬＥＤ、１２…受光素子、１３…導光部、１５…駆動機構、１６…筐体、１７…自動給紙部、３１…光源駆動回路、３２…モータ駆動回路、３３…駆動信号発生回路、４０…処理実行部、４１…Ａ／Ｄ変換部、４２…取得部、４３…バッファ、４４…補間処理部、４５…判定部、４６…補正部、４７…分離部、４８…記憶部、４８ａ…画像データ、９１〜９８…読み取り位置、９１Ｂ…黒色領域、９１Ｇ…灰色領域、９１Ｗ…白色領域、９２Ｒ，９２Ｇ，９２Ｇ，９３Ｒ，９３Ｇ，９３Ｇ，９４Ｒ，９４Ｇ，９４Ｇ…ピーク、１００…画像処理装置、１１０…発光部、１１１…基板、１１２…導光体、１２０…基板、１２１…レンズ、１３１〜１３３…第１〜第３のミラー、１５１…第１キャリッジ、１５２…第２キャリッジ、１５１ａ…固定部、１５３…第１の駆動機構、１５３ａ…原稿分離ロール、１５３ｂ…原稿搬送ロール、１５３ｃ…読取ロール、１５３ｄ…排出ロール、１５３ｅ…駆動源、１５４…第２の駆動機構、１５５…移動プーリ、１５５ａ…大径部、１５５ｂ…小径部、１５６…固定プーリ、１５７…モータ、１５８…駆動プーリ、１５９…ワイヤ、１５９ａ…一端部、１５９ｂ…他端部、１６１…原稿台、１６２…窓部、１７１…給紙トレイ、１７２…排紙台、Ｒ０，Ｇ０，Ｂ０，Ｒ１，Ｒ２，Ｒ３，Ｇ１，Ｇ２，Ｇ３，Ｂ１，Ｂ２…画素値、ｃ…駆動信号、ｒ…読取信号
【図１】
2011172086.tif 000003
【図２】
2011172086.tif 000004
【図３】
2011172086.tif 000005
【図６】
2011172086.tif 000006
【図７】
2011172086.tif 000007
【図８】
2011172086.tif 000008
【図９】
2011172086.tif 000009
【図１０】
2011172086.tif 000010
【図４】
2011172086.tif 000011
【図５】
2011172086.tif 000012